(57)【要約】【課題】防水性の高いインターホン機器を提供する。【解決手段】呼出ボタン７の鍔部２２の下縁に、後方へ突出する３つのボタン側防水リブ２７、２７・・を設ける一方、後ケース３の下端部に、前方へ突出する３つのケース側防水リブ２９、２９・・をボタン側防水リブ２７、２７・・に対応して設けている。そして、前ケース２と後ケース３との組み付けに伴い、ケース側防水リブ２９、２９・・が、ボタン側防水リブ２７、２７・・と制御基板９の下端との間に入り込んで、ボタン防水リブ２７、２７・・の上方に近接するとともに、ケース側防水リブ２９、２９・・の先端とボタン側防水リブ２７、２７・・の先端とが、上下方向で重なり合うようにした。【選択図】図３
2019169798.tif 000002
【特許請求の範囲】
【請求項１】
前ケースと後ケースとを組み付けてなる本体ケースの前面に、ボタン部材の操作部が押し込み操作可能に露出しており、前記操作部を押し込み操作すると、前記本体ケースに内蔵されている制御基板の前面に搭載されているスイッチが操作されるインターホン機器であって、
前記ボタン部材の前記操作部よりも下部で、前記本体ケースの内部に位置する箇所に、後方へ突出する第１の防水リブが設けられている一方、前記後ケースの下部に、前方へ突出する第２の防水リブが設けられており、
前記前ケースと前記後ケースとの組み付けに伴い、前記制御基板の下方において、前記第２の防水リブが前記第１の防水リブの上方に近接し、且つ、両前記防水リブの先端同士が上下で重なり合うことを特徴とするインターホン機器。
【発明の詳細な説明】
【技術分野】
【０００１】
本発明は、たとえば玄関に設置され、居室内に設置されるインターホン親機を呼び出すためのインターホン子機等といったインターホン機器に関するものである。
【背景技術】
【０００２】
従来、所謂インターホン子機等のインターホン機器としては、押し込み操作可能なボタン部材を設けてなるものが多い（たとえば特許文献１）。また、そのようなボタン部材は、たとえば特許文献２に記載されているように、インターホン機器の本体ケースにボタン窓を開設するとともに、そのボタン窓を介して操作部が本体ケースの内側から外側へ突出するようにして設けられることが多い。
【先行技術文献】
【特許文献】
【０００３】
【特許文献１】特開２００９−１５２７９４号公報
【特許文献２】実開平５−６５０２９号公報
【発明の概要】
【発明が解決しようとする課題】
【０００４】
上述したようにして設けられたボタン部材を有するインターホン機器は、たとえば屋外への設置を考えると、ボタンの周面、特にボタンの底面とボタン窓との隙間から、本体ケース内へ浸入した水滴が、本体ケースに内蔵されている制御基板に到達しやすい等といったように防水性の点で課題を抱えている。
【０００５】
そこで、本発明は、上記課題に鑑みなされたものであって、防水性の高いインターホン機器を提供しようとするものである。
【課題を解決するための手段】
【０００６】
上記目的を達成するために、本発明は、前ケースと後ケースとを組み付けてなる本体ケースの前面に、ボタン部材の操作部が押し込み操作可能に露出しており、操作部を押し込み操作すると、本体ケースに内蔵されている制御基板の前面に搭載されているスイッチが操作されるインターホン機器であって、ボタン部材の操作部よりも下部で、本体ケースの内部に位置する箇所に、後方へ突出する第１の防水リブが設けられている一方、後ケースの下部に、前方へ突出する第２の防水リブが設けられており、前ケースと後ケースとの組み付けに伴い、制御基板の下方において、第２の防水リブが第１の防水リブの上方に近接し、且つ、両防水リブの先端同士が上下で重なり合うことを特徴とする。
【発明の効果】
【０００７】
本発明によれば、ボタン部材の操作部よりも下部で、本体ケースの内部に位置する箇所に、後方へ突出する第１の防水リブが設けられている一方、後ケースの下部に、前方へ突出する第２の防水リブが設けられており、前ケースと後ケースとの組み付けに伴い、制御基板の下方において、第２の防水リブが第１の防水リブの上方に近接し、且つ、両防水リブの先端同士が上下で重なり合うようになっている。すなわち、特に本体ケース内へ水滴が浸入しやすいボタン部材の底面側において、ボタン部材の底面と制御基板との間に、第１の防水リブと第２の防水リブとが近接して上下に重なり合う防水構造が設けられることになる。したがって、たとえボタン部材の底面側から本体ケース内に水滴が浸入したとしても、その水滴が制御基板に到達しにくく、高い防水性を発揮することができる。
【図面の簡単な説明】
【０００８】
【図１】インターホン子機を前側から示した説明図である。
【図２】図１中におけるＡ−Ａ線断面を示した説明図である。
【図３】図２中における領域Ｂを拡大して示した説明図である。
【図４】分解状態にあるインターホン子機を後側から示した斜視説明図である。
【図５】後ケースを前側から示した斜視説明図である。
【図６】呼出ボタンを示した説明図である。
【発明を実施するための形態】
【０００９】
以下、本発明の一実施形態となるインターホン子機について、図面にもとづき詳細に説明する。
【００１０】
図１は、インターホン子機１を前側から示した説明図である。図２は、図１中におけるＡ−Ａ線断面を示した説明図である。図３は、図２中における領域Ｂを拡大して示した説明図である。図４は、分解状態にあるインターホン子機１を後側から示した斜視説明図である。図５は、後ケース３を前側から示した斜視説明図である。図６は、呼出ボタン７を示した説明図である。
【００１１】
インターホン子機１は、前側に配置される前ケース２と、後側に配置される後ケース３とを組み付けてなる本体ケース、及び本体ケースの前面に取り付けられる化粧パネル１０を有している。本体ケースの前面上部には、円孔状のカメラ窓が開設されており、該カメラ窓内にレンズが露出するように、カメラを本体ケース内に内蔵することでカメラ部５が設けられている。また、カメラ部５の右側には、通話のためのマイク部６が設けられている。さらに、カメラ部５の下側には、通話のためのスピーカ部８が設けられており、スピーカ部８の更に下側には、来訪者が居住者を呼び出す際に押し込み操作する呼出ボタン７が設けられている。そして、このようなインターホン子機１は、住戸の玄関の壁面等に設置されており、来訪者によって呼出ボタン７が押し込み操作されると、住戸内に設置されているインターホン親機（図示せず）を呼び出すとともに、カメラ部５を作動させて来訪者を撮像する。
【００１２】
なお、カメラ部５により撮像された映像は、インターホン親機に備えられているモニターに表示される。また、インターホン子機１の本体ケース内には、インターホン子機１の主たる動作（インターホン親機との間での通話やカメラ部５による撮像等）を制御する制御基板９が内蔵されており、当該制御基板９の前面下端部には、呼出ボタン７によりＯＮ／ＯＦＦされるスイッチ１１が搭載されている。
【００１３】
ここで、本発明の要部となる呼出ボタン７周りの防水構造について説明する。
呼出ボタン７は、前方へ膨出する操作部２１と、操作部２１の周囲に広がる鍔部２２と、鍔部２２から上方へ延設された一対の腕片２３、２３とを有する合成樹脂製の部材である。操作部２１の後面には、スイッチ１１をＯＮ／ＯＦＦ操作するための操作突起２４が後方へ突設されている。また、鍔部２２の左右両側縁及び上縁に沿っては、押し込み操作時に呼出ボタン７の位置がずれることを防止するためのガイドリブ２５が前方へ突設されている。さらに、各腕片２３の先端には、呼出ボタン７を前ケース２の内面にネジ止めするためのネジ止め部２６が設けられている。加えて、鍔部２２の下縁に、後方へ突出する３つのボタン側防水リブ２７、２７・・が左右方向へ断続的に並設されている。各ボタン側防水リブ２７は、鍔部２２の下縁に沿って左右方向へ延びる壁状に形成されており、その先端は、操作突起２４の先端よりも後方まで突出している。一方、後ケース３の下端部には、前方へ突出する３つのケース側防水リブ２９、２９・・がボタン側防水リブ２７、２７・・に対応して設けられている。なお、２８は、スピーカ部材（図示せず）を後側から押さえるための当接片である。
【００１４】
そして、上記呼出ボタン７は、前ケース２に開設されているボタン窓１２を介して操作部２１を前ケース２よりも前方へ突出させるようにして、前ケース２の後面側から前ケース２に取り付けられる。また、呼出ボタン７を取り付けた後、制御基板９が前ケース２の後面側に固定される。この制御基板９の固定に伴い、操作突起２４の後方にスイッチ１１が位置する。一方、ボタン側防水リブ２７、２７・・は、制御基板９よりも下方に位置している。その後、制御基板９及び呼出ボタン７を後側から覆うように、後ケース３を前ケース２の後面側から組み付ける。この組み付けに伴い、ケース側防水リブ２９、２９・・が、ボタン側防水リブ２７、２７・・と制御基板９の下端との間に入り込み、ボタン側防水リブ２７、２７・・の上方に近接する。また、ケース側防水リブ２９、２９・・の先端とボタン側防水リブ２７、２７・・の先端とが上下方向で重なり合う。
【００１５】
以上のような構成を有するインターホン子機１によれば、呼出ボタン７の鍔部２２の下縁に、後方へ突出する３つのボタン側防水リブ２７、２７・・を設ける一方、後ケース３の下端部に、前方へ突出する３つのケース側防水リブ２９、２９・・をボタン側防水リブ２７、２７・・に対応して設けている。そして、前ケース２と後ケース３との組み付けに伴い、ケース側防水リブ２９、２９・・が、ボタン側防水リブ２７、２７・・と制御基板９の下端との間に入り込んで、ボタン側防水リブ２７、２７・・の上方に近接するとともに、ケース側防水リブ２９、２９・・の先端とボタン側防水リブ２７、２７・・の先端とが、上下方向で重なり合うようにした。すなわち、特に水滴が浸入しやすい呼出ボタン７の底面側において、呼出ボタン７の底面と制御基板９との間に、ボタン側防水リブ２７、２７・・とケース側防水リブ２９、２９・・とが近接して上下に重なり合う防水構造を設けた。したがって、たとえ呼出ボタン７の底面とボタン窓１２との隙間から本体ケース内に水滴が浸入したとしても、その水滴が制御基板９に到達しにくく、高い防水性を発揮することができる。
【００１６】
なお、本発明に係るインターホン機器は、インターホン機器の全体的な構成は勿論、防水構造に係る構成等についても、本発明の趣旨を逸脱しない範囲で必要に応じて適宜変更することができる。
【００１７】
たとえば上記実施形態ではインターホン子機について説明しているが、本発明は、集合住宅玄関機等の他のインターホン機器に対しても好適に採用することができる。したがって、ボタン部材に関しても呼出ボタンに限定されることはない。
また、上記実施形態では、３つのボタン側防水リブ及びケース側防水リブを設けるといしているが、３つに分かれていない１つのボタン側防水リブ及びケース側防水リブを設けても何ら問題はない。
【符号の説明】
【００１８】
１・・インターホン子機（インターホン機器）、２・・前ケース（本体ケース）、３・・後ケース（本体ケース）、７・・呼出ボタン（ボタン部材）、９・・制御基板、１１・・スイッチ、１２・・ボタン窓、２１・・操作部、２２・・鍔部、２４・・操作突起、２７・・ボタン側防水リブ（第１の防水リブ）、２９・・ケース側防水リブ（第２の防水リブ）。
【図１】
2019169798.tif 000003
【図２】
2019169798.tif 000004
【図３】
2019169798.tif 000005
【図４】
2019169798.tif 000006
【図５】
2019169798.tif 000007
【図６】
2019169798.tif 000008